(57)【要約】【課題】  ウェブ等の板状体に影響を与えずに板状体に対する摩擦力を増加して咥え抜けを抑制できる板状体受取装置を提供する。【解決手段】  周面に軸線方向に延在する開口部７３を有する略円筒形状をした本体７１と、開口部７３に固定して取り付けられ、本体７１の周面から内側に向けて軸線方向に延在するように配置された固定咥え面８１を有する剛体材料で形成された咥えアゴ７５と、固定咥え面８１に対向する弾性体材料で形成された咥え部材９７を有し、咥え部材９７が固定咥え面８１に対して接近離間するように開口部７３に取り付けられた咥え部材７７と、を備え、開口部７３に進入させられる切断ウェブ１９Ａを固定咥え面８１および咥え部９７で挟持し搬送する咥え胴４５であって、固定咥え面８１の一部は、咥えアゴ７５に取り付けられ、摩擦係数の高い弾性体材料で形成された弾性体８５の弾性咥え面８７で構成されていることを特徴とする。【選択図】      図２
2009012966.tif 000002
【特許請求の範囲】
【請求項１】
周面に軸線方向に延在する開口部を有する略円筒形状をした本体と、
該開口部に固定して取り付けられ、該本体の周面側から内側に向けて軸線方向に延在するように配置された固定保持面を有する剛体材料で形成された固定保持部と、
該固定保持面に対向する弾性体材料で形成された可動保持面部を有し、該可動保持面部が該固定保持面に対して接近離間するように前記開口部に取り付けられた可動保持部と、を備え、
前記開口部に進入させられる板状体を前記固定保持面および前記可動保持面部で挟持し搬送する板状体受取装置であって、
前記固定保持面の一部は、前記固定保持部に取り付けられ、摩擦係数の高い弾性体材料で形成された弾性保持部の弾性保持面で構成されていることを特徴とする板状体受取装置。
【請求項２】
前記弾性保持面は、前記固定保持面の他の面と同じ面内になるように、あるいは、所定量凹んで設けられていることを特徴とする請求項１に記載された板状体受取装置。
【請求項３】
前記弾性保持面は、前記固定保持面の半径方向外端部を除く部分に配置されていることを特徴とする請求項１または請求項２に記載された板状体受取装置。
【請求項４】
前記弾性保持面は、軸線方向に沿って延在するように設けられていることを特徴とする請求項１から請求項３のいずれかに記載された板状体受取装置。
【請求項５】
前記弾性保持面は、軸線方向に交差する方向に沿って延在するように設けられていることを特徴とする請求項１から請求項３のいずれかに記載された板状体受取装置。
【請求項６】
前記弾性保持面は複数面備えられ、それらが前記固定保持面に間隔を空けて分散配置されていることを特徴とする請求項１から請求項５のいずれかに記載された板状体受取装置。
【請求項７】
請求項１から請求項６のいずれかの板状体受取装置を折帳の形成に用いていることを特徴とする印刷機の折機。
【請求項８】
請求項７の折機を備えていることを特徴とする印刷機。
【発明の詳細な説明】
【技術分野】
【０００１】
本発明は、板状体受取装置、これを用いた折機および印刷機に関するものである。
【背景技術】
【０００２】
印刷機の折機には、たとえば、特許文献１に示されるように、印刷されたウェブを所定長さに断裁して平行折りした折帳とする平行折部が備えられている。
平行折部には、ウェブの先頭を保持して搬送する折胴と、所定長さに切断されたウェブを折胴から受け取り折帳として次工程へ搬送する咥え胴とが隣り合って備えられている。折胴と咥え胴とは相互に反対方向に回転する構成されている。
【０００３】
咥え胴には、周面に軸線方向に延在する開口部が設けられている。この開口部の一方の壁部に咥えアゴが固定して取り付けられ、他方壁側に咥え板が咥えアゴに対向し、接近離間するように取り付けられている。
この咥えアゴは鋼製とされ、咥え板の咥えアゴに対向する部分はゴム製とされている。
折胴には、咥え胴との接近位置で開口部と対向する位置に位置する出没可能な折ブレードが備えられている。
【０００４】
折胴に保持されて搬送されるウェブは、折胴に備えられた折ブレードが外周側に突出し開口部に進入することによって、搬送方向の略中間位置が咥えアゴと折ブレードとの間に折り込まれる。
咥え板が所定のタイミングで咥えアゴに対して接近し、咥え板と咥えアゴとによってこの折り込み部を咥えて保持する。これと略同時に折胴はウェブの保持を解放するので、ウェブは軸線方向に沿って２つ折り、すなわち、平行折りされた折帳として咥え胴に受け渡される。
【０００５】
このとき、咥え板と咥えアゴとの間から折帳が抜け落ちてしまう（これを咥え抜けという）という課題があり、種々の対応策が提案されている。
たとえば、特許文献１に示されるものでは、咥え板の構造を工夫して、咥え板の先端と咥えアゴとを正常に面接触させるようにし、咥え抜けを抑制しようとしている。
また、咥えアゴの当接面に、たとえば、タングステンカーバイド（ＷＣ）をコーティングして摩擦力を大きくしようとするものも提案されている。
【０００６】
【特許文献１】特開２００３−１６０２７５号公報
【発明の開示】
【発明が解決しようとする課題】
【０００７】
ところで、たとえば、咥えアゴの当接面にタングステンカーバイドをコーティングするものでは、コーティングによって当接面の表面がざらつくことになる。ウェブが折ブレードによって押し込まれ、あるいは抜ける際に当接面によって擦られるので、ウェブに傷が入る恐れがある。このため、コーティングはウェブに傷入りしない程度に収める必要があるので、摩擦力の増加が十分に行えない。
特許文献１に示されるものを含めて、咥え抜けに対する対応が十分できていないのが現状であり、その対応が求められている。
【０００８】
本発明は、上記課題に鑑み、ウェブ等の板状体に影響を与えずに板状体に対する摩擦力を増加して咥え抜けを抑制できる板状体受取装置、これを用いた折機および印刷機を提供することを目的とする。
【課題を解決するための手段】
【０００９】
上記課題を解決するために、本発明は以下の手段を採用する。
すなわち、本発明にかかる板状体受取装置は、周面に軸線方向に延在する開口部を有する略円筒形状をした本体と、該開口部に固定して取り付けられ、該本体の周面から内側に向けて軸線方向に延在するように配置された固定保持面を有する剛体材料で形成された固定保持部と、該固定保持面に対向する弾性体材料で形成された可動保持面部を有し、該可動保持面部が該固定保持面に対して接近離間するように前記開口部に取り付けられた可動保持部と、を備え、前記開口部に進入させられる板状体を前記固定保持面および前記可動面で挟持し搬送する板状体受取装置であって、前記固定保持面の一部は、前記固定保持部に取り付けられ、摩擦係数の高い弾性体材料で形成された弾性保持部の弾性保持面で構成されていることを特徴とする。
【００１０】
本発明によれば、固定保持部と可動保持部との間に進入させられた板状体は、可動保持部の可動保持面部が固定保持面に接近するように移動することによって固定保持面に押圧されて保持される。このとき、固定保持面の一部は、固定保持部に取り付けられ、摩擦係数の高い弾性体材料で形成された弾性保持部の弾性保持面で構成されているので、板状体は、弾性保持面にも押し付けられることになる。弾性保持面に押し付けられると、板状体にその高い摩擦係数が作用するので、板状体の動きは強く制限される。
したがって、板状体の咥え抜けを効果的に抑制することができる。
また、固定保持面の他の部分は、必要以上に摩擦力を高める必要がないので、たとえば、タングステンカーバイドをコーティングする場合でも、板状体が擦っても板状体に傷入りしない程度に収めることができる。
【００１１】
さらに、固定保持部の他の部分は剛体材料で形成されているので、作成時の形状精度は従来よりも低下することはないし、板状体との摩擦による磨耗もほとんど影響のない範囲に留めることができる。また、磨耗し易い弾性保持面の板状体との擦れによる磨耗は、剛体材料で形成された固定保持面で保護され、その面位置よりも大きく凹むことは無いので、計時変化も略無くすことができる。
なお、「剛体材料」とは、変形し難い材料、たとえば、鋼等の金属のようにヤング率が数十ＧＰａ以上の材料で構成されたものを意味します。また、「弾性体材料」とは、変形し易い材料、たとえば、ゴムであり、ヤング率が１ＧＰａ以下の材料で構成されたものを意味します。
【００１２】
また、上記発明では、前記弾性保持面は、前記固定保持面の他の面と同じ面内になるように、あるいは、所定量凹んで設けられていることが好適である。
このようにすると、弾性保持面が板状体によって擦られることがないので、固定保持部の形状変化をほとんど無くすことができる。
この場合、可動保持面部が剛体材料の固定保持面に制限されて変形し、弾性保持面に押し込まれることによって板状体は弾性保持面に押し付けられて摩擦力を受けることになる。
なお、「所定量」とは、この摩擦力が必要な大きさとなる大きさであり、弾性保持面の面積、可動保持面部の弾性変形率および押付力等のパラメータで決定されるものである。
【００１３】
また、上記発明では、前記弾性保持面は、前記固定保持面の半径方向外端部を除く部分に配置されていることが好適である。
このようにすると、板状体ともっとも強く擦れる固定保持面の半径方向外端部が、剛体材料で形成されることになるので、磨耗することを抑制することができる。
【００１４】
また、上記発明では、前記弾性保持面は、軸線方向に沿って延在するように設けられてもよい。
また、上記発明では、前記弾性保持面は、軸線方向に交差する方向に沿って延在するように設けられてもよい。
また、上記発明にかかる板状体受取装置では、前記弾性保持面は複数面備えられ、それらが前記固定保持面に間隔を空けて分散配置されていてもよい。
【００１５】
本発明にかかる印刷機の折機は、いずれかの上記板状体受取装置を折帳の形成に用いていることを特徴とする。
【００１６】
このように、板状体の咥え抜けを効果的に抑制することができる板状体受取装置を折帳の形成に用いているので、折帳を安定して製造することができる。
【００１７】
また、本発明にかかる印刷機は、上記の折機を備えていることを特徴とする。
【００１８】
このように、折帳を安定して製造できる折機を用いているので、品質のよい製品を製造することができる。また、折不良の調整等に時間を要さないので、稼動率を向上させることができる。
【発明の効果】
【００１９】
本発明によれば、固定保持面の一部は、固定保持部に取り付けられ、摩擦係数の高い弾性体材料で形成された弾性保持部の弾性保持面で構成されているので、板状体に影響を与えずに板状体の咥え抜けを効果的に抑制することができる。
【発明を実施するための最良の形態】
【００２０】
以下、本発明の一実施形態について、図１〜図４を用いて説明する。
本実施形態は、本発明をウェブの両面に多色印刷を行うブランケット対向型の輪転印刷機に適用したものである。
図１は、輪転印刷機（印刷機）１の全体概略構成を示す正面図である。
輪転印刷機１には、ウェブ１９の搬送方向に沿って、給紙装置３と、インフィード装置５と、印刷部７と、乾燥装置９と、冷却装置１１と、ウェブパス部１３と、折機１５と、が備えられている。
【００２１】
給紙装置３はウェブ１９を供給するものであり、ウェブ１９がロール状に巻かれた紙ロール２１が２個保持できるように構成されている。
一方の紙ロール２１から給紙されている場合に、他方の紙ロール２１が装着され、紙継ぎ準備がなされる。一方の紙ロール２１のウェブ１９が残り少なくなると、他方の紙ロール２１のウェブ１９に紙継ぎされる。そして、他方の紙ロール２１からウェブ１９が供給されている間に一方の紙ロール２１が装着され紙継ぎ準備がなされる。
このようにして、ウェブ１９は給紙装置３から搬送方向の下流側へ向けて連続的に繰り出されることになる。
【００２２】
インフィード装置５は、給紙装置３からのウェブ１９の張力を調整して印刷部７へ供給する機能を有する。
印刷部７には、印刷色数に相当する個数だけ印刷ユニット２３が設けられている。
本実施形態では、印刷ユニット２３は４ユニット設けられており、それぞれスミ、シアン、マゼンダおよびイエローを印刷し、これらの混色を利用してカラー印刷を行うものである。
【００２３】
印刷ユニット２３には、版胴２５とブランケット胴２７との組が２組設けられている。それぞれの組のブランケット胴２７はウェブ１９を挟んで対向して配置されており、相互に印圧を付与し合う機能を有している。
それぞれの版胴２５の周面には、図示を省略した湿し装置およびインキ装置が設けられている。湿し装置は、版胴２５の周囲に取り付けられた刷版に湿し水を供給し、インキ装置は刷版にインキを供給するものである。
【００２４】
乾燥装置９は、印刷部７によって両面に印刷されたウェブ１９を加熱し乾燥する機能を有している。
冷却装置１１には、複数の冷却ドラム２９が設けられており、乾燥装置９で加熱されたウェブ１９が各冷却ドラム２９の周面に接するように通過させられることによってウェブ１９を冷却している。
【００２５】
ウェブパス部１３は、ウェブ１９の張力を調節し、三角板３１によりウェブ１９を搬送方向に沿って半分に折り折機１５に供給する機能を有し、必要によってウェブ１９を縦断する切断機能を有している。
三角板３１は、ウェブ１９を縦折りし、あるいは、幅の狭いウェブ１９はそのままで、ウェブ１９の面の進行方向を９０度回転させるものである。
リードインローラ３３は、間隔を空けて配置された一対のローラで構成されており、三角板３１からの縦折りされたウェブ１９を下方に案内するものである。
【００２６】
折機１５には、第一ニッピングローラ部３５と、横ミシン装置３７と、第二ニッピングローラ部３９と、鋸胴４１と、折胴４３と、咥え胴（板状体受取装置）４５と、搬送ベルト部４７と、チョッパ折装置４９と、直角折り用羽根車５１と、平行折り用羽根車５３と、排出コンベア５５，５７とが備えられている。
【００２７】
第一ニッピングローラ部３５は、ウェブ１９を挟むように配置された一対のローラで構成されている。
これらのローラの周速度は搬送方向３０上流側のウェブ１９の移動速度よりも若干早くされており、上流側のウェブ１９に張力を付与するとともにウェブ１９を下流側へ送り込む機能を有するものである。
【００２８】
横ミシン装置３７には、横ミシン胴５９と、受胴６１とが備えられている。
横ミシン胴５９は、略円筒形状をしたローラであり、その周面に軸線方向に沿って略全幅に亘るミシン刃を備えている。
受胴６１は、略円筒形状をしたローラである。受胴６１の周面には、刃の食い込みを許容する材料で構成されたミシン刃受部が軸線方向に沿って略全幅に亘り備えられている。
横ミシン胴５９および受胴６１はタイミングを合わせて相互に反対方向に回転しており、横ミシン刃がミシン刃受部に食い込むことによって間を通過するウェブ１９に折目となるミシン目を形成する。
【００２９】
第二ニッピングローラ部３９は、ウェブ１９を挟むように配置された一対のローラで構成されている。
これらのローラの周速度は搬送方向３０上流側のウェブ１９の移動速度よりも若干早くされており、上流側のウェブ１９に張力を付与するとともにウェブ１９を下流側へ送り込む機能を有するものである。
【００３０】
鋸胴４１の周面には、ウェブ１９の断裁位置を切断する２組の切断刃６３が略１８０度間隔で設けられている。
折胴４３の周面には、２組の折ブレード６５が略１８０度間隔で設けられている。また、ウェブ１９の先端を搬送する２組の針装置６７が略１８０度間隔で設けられている。さらに、針装置の近傍には鋸胴４１の切断刃６３を受ける受部が備えられている。
鋸胴４１は、折胴４３と協働して、ウェブ１９を所定長さ（切断長）に切断し、切断ウェブ（板状体）１９Ａとするものである。
【００３１】
折ブレード６５と針装置６７とは略９０度隔てられ、すなわち、折ブレード６５は、一対の針装置６７の略中間位置に設置されている。
折ブレード６５が図示しない、たとえば、カム等の駆動手段によって折胴４３の周面より出没するように構成されている。折ブレード６５は、咥え胴４５に近接する位置で折胴４３の周面より外側に突出し、それ以外の位置では周面よりも内側に位置するようにされている。
【００３２】
咥え胴４５の周面には、二組の咥え装置６９が略１８０度間隔で設けられている。この咥え装置６９は折胴４３の折ブレード６５と対応する位置に位置するように設定されている。
咥え胴４５は、折胴４３と協働し、切断ウェブ１９Ａを搬送方向略中間位置を折目として前後が重なるように二つ折り（平行折り）して折帳２０を形成するものである。
図２は、咥え装置６９の概略構成を示す模式図である。
咥え胴４５の円筒形状をした本体７１には、咥え装置６９を設置するために軸線方向に沿って略全幅に亘る開口部７３が設けられている。
【００３３】
咥え装置６９には、咥えアゴ（固定保持部）７５と、咥え部材（可動保持部）７７と、が備えられている。
図４は、咥えアゴ７５の概略構成を示す斜視図である。
【００３４】
咥えアゴ７５は、断面が略Ｌ字形状をした棒状部材である。咥えアゴ７５は、開口部７３の回転方向７９上流側の壁面における外側端部に、軸線方向に延在するように固定して取り付けられている。
咥えアゴ７５は、ヤング率が数十ＧＰａ以上の変形し難い材料で形成される。本実施形態では、咥えアゴ７５は、たとえば、略２００ＧＰａのヤング率である機械構造用炭素鋼鋼材のＳ４３Ｃで形成されている。
【００３５】
咥えアゴ７５は、開口部７３側に略半径方向に沿って外側短部から内側に向かい延在する固定咥え面（固定保持面）８１を備えている。
咥えアゴ７５は、たとえば、切削、研削によって所定形状に精度よく加工される。固定咥え面８１の突起部分は、平面を構成するように加工されている。
【００３６】
固定咥え面８１には、長手方向全長に亘る断面形状が略矩形状をした溝８３が半径方向に間隔を空けて２本備えられている。
溝８３には、弾性体（弾性保持部）８５が充満するように固定して装着されている。弾性体８５は、ヤング率が１ＧＰａ以下の変形し易い材料で構成される。本実施形態では、ゴム体８５は、たとえば、０．００１５〜０．００５ＧＰａのヤング率であるゴムで形成されている。
弾性体８５の自由面である弾性咥え面（弾性保持面）８７は、固定咥え面８１と同一平面とされ、固定咥え面の一部を構成している。
【００３７】
咥え部材７７は、咥え胴４５に軸線方向に沿って取り付けられた揺動軸８９に対し、所定の間隔をあけて複数配置されている。
各咥え部材７７は、それぞれ、ブラケット９１を介して略咥え胴４５の半径方向に向く姿勢で揺動軸８９に固定して取り付けられている。したがって、咥え部材７７は、揺動軸８９の自転に伴い一体に揺動するようになっている。
【００３８】
咥え部材７７には、咥え板（可動保持部）９３と、咥え部（可動保持面部）９７と、が備えられている。
咥え板９３は、矩形状の板状をし、一面が咥えアゴ７５に対面するように配置され、内側端部がブラケット９１にボルトによって固定して取付けられている。
咥え部９７は、ゴム製の板状をし、咥え板９３の咥えアゴ７５の固定咥え面８１に対向する部分に、固定して取り付けられている。
【００３９】
揺動軸８９の側端部には、先端にカムフォロア９９が軸着された揺動アーム１０１が固定されている。カムフォロア９９は図示しないフレームに固定された円盤型のカム１０３の外周面に押圧されている。
咥え部材７７は、咥え胴４５の回転に伴って、カムフォロア９９、揺動アーム１０１、揺動軸８９およびブラケット９１を介して、カム１１の外周面に駆動され、所定のタイミングで咥えアゴ７５に対して接離する（咥え装置６９が開閉する）ようになっている。
【００４０】
搬送ベルト部４７は、それぞれ幅方向に分離して略平行に配置された無端状の複数のベルトで構成され、咥え胴４５から受け渡された折帳を上下から挟持して後工程に搬送するものである。
チョッパ折装置４９は、搬送ベルト部４７の搬送方向３０における中間位置に設けられている。
チョッパ折装置４９は、搬送ベルト部４７によって搬送される折帳２０を、搬送方向３０に延在する折目に沿って二つ折り（チョッパ折りまたは直角折りという）したチョッパ折帳を形成する機能を有している。
【００４１】
直角折り用羽根車５１は、チョッパ折装置４９の下方に設置され、チョッパ折り（直角折り）されたチョッパ折帳を排出コンベア５５に受け渡すものである。
平行折り用羽根車５３は、搬送ベルト部４７の下流端下方に設置され、チョッパ折装置４９によってチョッパ折りされずに搬送される折帳２０を排出コンベア５７に受け渡すものである。
【００４２】
以上、説明した本実施形態にかかる輪転印刷機１の動作について説明する。
まず、印刷動作について説明する。
給紙装置３から繰り出されるウェブ１９は、インフィード装置５によって張力が調整され印刷部７の印刷ユニット２３へ供給される。
各印刷ユニット２３において、湿し水とインキとが供給されることによって版胴２５の周面に取り付けられた刷版に形成された画像が、ブランケット胴２７に転写される。これがブランケット胴２７，２７の間を通過するウェブ１９の両面に転写され、印刷される。
【００４３】
ウェブ１９は４個の印刷ユニット２３を通過することによって、スミ、シアン、マゼンダおよびイエローを印刷され、カラー印刷される。
各印刷ユニット２３を通過してカラー印刷されたウェブ１９は乾燥装置９で加熱されインキが乾燥される。
次いで、ウェブ１９は、冷却装置１１の各冷却ドラム２９の周面に接するように通過し、各冷却ドラム２９によって冷却される。ウェブ１９はウェブパス部１３で張力を調節され、三角板３１によって、縦折りされて折機１５に供給される。
【００４４】
折機１５では、第一ニッピングローラ部３５および第二ニッピングローラ部３９によって下流側に送り出され、相互に反対方向に回転している鋸胴４１と折胴４３との間に導入される。
このとき、必要に応じて横ミシン装置３７によって折り目となるミシン目が加工される。ミシン目は、折胴４３の折りブレード６５が突き出される位置に加工される。
なお、ミシン目の加工が不要の場合は、横ミシン胴５９はミシン刃がミシン刃受部に係合しない待機位置に位置させられている。
【００４５】
折胴４３は、搬送されるウェブ１９の先端部に、針装置６７の針を突き刺し、ウェブ１９を保持しつつ回転する。
折胴４３の回転によって搬送されるウェブ１９は、断裁位置で鋸胴４１の切断刃６３によって切断され、切断ウェブ１９Ａとされる。このとき、上流側のウェブ１９の先端部は折胴４３の別の針装置６７に保持される。
【００４６】
折胴４３で搬送される切断ウェブ１９Ａは、その先頭位置が咥え胴４５との係合点を越えて搬送される。切断ウェブ１９Ａのミシン目の加工位置（折加工位置）と略同一位置に折りブレード６５が位置している。
折りブレード６５が、咥え胴４５との係合点の近傍に至ると、折りブレード６５が図示しない駆動手段によって折胴４３の周面から外側に向かって突出する。この折りブレード６５によって折加工位置を中心とし、前後が重なるように咥え胴４５の開口部７３に押し込まれる。
【００４７】
このとき、切断ウェブ１９Ａの先頭位置は針装置６７によって保持されているので、折加工位置よりも上流側の切断ウェブ１９Ａが移動することになる。これによって、切断ウェブ１９Ａが咥えアゴ７５の外周部の角部を擦ることになるが、鋼材で形成されているので、磨耗することを抑制することができる。
また、角部ほど強くないが、固定保持面８１も切断ウェブ１９によって擦られるが、この部分も磨耗することはない。
一方、切断ウェブ１９Ａにも咥えアゴ７５から擦られることになるが、表面の摩擦力が適宜調整されているので、切断ウェブ１９Ａに傷入りすることはない。
【００４８】
そして、咥え部材７７は、カム１０３によって設定されたタイミングで、カムフォロア９９、揺動アーム１０１、揺動軸８９およびブラケット９１を介して咥えアゴ７５に向かって移動し、切断ウェブ１９Ａの押し込まれた部分を固定保持面８１と咥え部９７とで挟持して保持する。
このタイミングで折胴４３の針装置６７が引っ込み切断ウェブ１９Ａの保持を止める。また、図３に示されるように、折ブレードが折胴４３内に引っ込められる。
【００４９】
これにより、切断ウェブ１９Ａは前後が重なるように二つ折り（平行折り）された折帳２０として咥え胴４５に引き渡される。
このとき、咥え部９７が切断ウェブ１９Ａを介して固定保持面８１に当接した後も、初期保持力を付加すべく、咥え部９７は固定保持面８１方向に移動させられる。
咥え部材７７が咥え板９３によって板構造とされているので、切断ウェブ１９Ａの厚さが変化してもそれに十分追従して所定の保持力を持たせることができる。
【００５０】
これにより、切断ウェブ１９Ａは、弾性咥え面８７にそれを押し込むように押し付けられることになるので、切断ウェブ１９Ａにその高い摩擦係数が強く作用する。このため、切断ウェブ１９Ａの動きは強く制限されるので、切断ウェブ１９Ａの咥え抜けを効果的に抑制することができる。
【００５１】
本実施形態では、弾性咥え面８７が固定保持面８１と同一平面とされるようにされているが、これは図５に示されるように固定保持面８１よりも凹んで設けられていてもよい。
このようにすると、弾性咥え面８７が切断ウェブ１９Ａによって擦られることがないので、固定保持面８１の形状変化をほとんど無くすことができる。
この場合、咥え部９７が切断ウェブ１９Ａを介して鋼製の固定保持面８１に制限されて変形し、弾性咥え面８７に押し込まれることによって切断ウェブ１９Ａは弾性咥え面８７に押し付けられて摩擦力を受けることになる。
なお、凹み量は、この摩擦力が必要な大きさとなる大きさであり、弾性咥え面８７の面積、咥え部９７の弾性変形率および押付力等の諸パラメータで適宜決定される。
【００５２】
また、図６に示されるように、弾性咥え面８７は固定保持面８１よりも突出するように設けられていてもよい。
このようにすると、弾性体８５の縮み量が多くなるので、切断ウェブ１９Ａに作用する摩擦力を大きくできる。
この場合、弾性体８５が切断ウェブ１９Ａに擦られて磨耗することがあるが、固定保持面８１よりも凹むことはない。
【００５３】
本実施形態では、弾性体８５が軸線方向（幅方向）に延在するように設置されているが、これは図７に示されるように固定保持面８１に半径方向に延在するように設けられていてもよい。
このようにすると、押し込まれる切断ウェブ１９Ａに対して作用する摩擦力が切断ウェブ１９Ａの移動方向に沿って略均一になるので、引っ掛かることなく滑らかに移動することができる。
【００５４】
また、図８に示されるように、弾性体８５を略円筒形状とし、円形状の弾性咥え面８７が固定保持面８１に間隔を空けて分散して配置されるように設置してもよい。
この場合、弾性咥え面８７の形状は円形に限らず適宜形状とされてよい。
【００５５】
さらに、以上の説明では、弾性体８５は複数備えられているが、所用の摩擦力を得られるのであれば１個であってもよい。
【００５６】
咥え胴４５に保持され、搬送される折帳２０が所定の位置に来ると咥え部材７７が開放され、折帳２０は咥え胴４５から搬送ベルト部４７に受け渡される。
搬送される折帳２０は、搬送ベルト部４７の下流端で下方に落下され、平行折り用羽根車５３の隣り合う羽根の間に落下し、平行折り用羽根車５３の回転に伴い下方に運ばれ、排紙コンベア５７の上に落下する。
このようにして、折帳２０は排紙コンベア５７の上に順次落下しつつ搬送されるので、瓦屋根状に積み重なった状態で搬送される。
【００５７】
一方、搬送ベルト部４７で搬送される折帳２０が、途中でチョッパ折り装置４９によって搬送方向に沿って二つに折られ、下方へ押し込まれることもある。
チョッパ折り装置４９で折り込まれた折帳は、タイミングを計って回転している直角折り用羽根車５１の隣り合う羽根の間に落下し、直角折り用羽根車５１の回転に伴い下方に運ばれ、排紙コンベア５５の上に落下する。
このようにして、チョッパ折り装置４９で折り込まれた折帳は排紙コンベア５５の上に順次落下しつつ搬送されるので、瓦屋根状に積み重なった状態で搬送される。
【００５８】
本実施形態のような鋸胴４１、折胴４３および咥え胴４５で構成された、いわゆる三胴式であるが、これに限らず、折胴４３および咥え胴４５で構成される、いわゆる二胴式等適宜形式のものに適用できる。
【００５９】
なお、本発明はこれらの実施形態に限定されるものではなく、本発明の要旨を逸脱しない範囲内において適宜変更することができる。
【図面の簡単な説明】
【００６０】
【図１】本発明の第一実施形態にかかる輪転印刷機の全体概略構成を示す正面図である。
【図２】本発明の第一実施形態にかかる咥え装置の概略構成を示す模式図である。
【図３】本発明の第一実施形態にかかる咥え装置の咥え状態を示す部分模式図である。
【図４】本発明の第一実施形態にかかる咥えアゴの概略構成を示す斜視図である。
【図５】本発明の第一実施形態にかかる咥えアゴの別の実施態様を示す部分断面図である。
【図６】本発明の第一実施形態にかかる咥えアゴの別の実施態様を示す部分断面図である。
【図７】本発明の第一実施形態にかかる咥えアゴの別の実施態様を示す斜視図である。
【図８】本発明の第一実施形態にかかる咥えアゴの別の実施態様を示す斜視図である。
【符号の説明】
【００６１】
１  輪転印刷機
１５  折機
１９Ａ  切断ウェブ
４５  咥え胴
６９  咥え装置
７１  本体
７３  開口部
７５  咥えアゴ
７７  咥え部材
８１  固定咥え面
８５  弾性体
８７  弾性咥え面
９７  咥え部
【図１】
2009012966.tif 000003
【図２】
2009012966.tif 000004
【図３】
2009012966.tif 000005
【図４】
2009012966.tif 000006
【図５】
2009012966.tif 000007
【図６】
2009012966.tif 000008
【図７】
2009012966.tif 000009
【図８】
2009012966.tif 000010